(57)【要約】セキュリティラベルは、基材を含み、その中間部の一方面上にパッドが形成される。パッドを連結するようにして、導体層を形成する。導体層は、基材の端部上で周回するように形成される。端部の端縁部から内部に向かって、切れ目を形成する。パッド形成部と導体層の周回部分との間に、断続する切れ目を形成する。基材の他方面上に接着層を形成する。パッドを警報装置に接続した状態で、セキュリティラベルを物品に貼着する。
2004047037.tif 000002
【特許請求の範囲】
【請求項１】
シート状の基材、
前記基材の一方面上の中間部に形成される導電性の２つのパッド、
２つの前記パッドを連結するように前記基材の一方面上に形成される導体層、
前記基材の他方面上に形成される接着層、および
前記基材および前記導体層を破断しやすくするために前記導体層の近傍に形成される易破断部を含み、
前記導体層が破断したときに警報を発する警報装置に接続するために前記パッドが用いられる、セキュリティラベル。
【請求項２】
前記導体層は前記基材上において周回するように形成され、
前記易破断部は、前記基材の外周部から内側に向かって延びる切れ目と、前記パッド形成部と前記導体層の周回部分との間において前記基材、あるいは前記基材および前記導体層に形成される切れ目とを含む、請求項１に記載のセキュリティラベル。
【請求項３】
前記パッドが露出するようにして、前記導体層および前記基材の上に接着剤に対して接着性の弱い離型層が形成された、請求項１または請求項２に記載のセキュリティラベル。
【請求項４】
前記パッドが露出するようにして、前記導体層および前記基材の上に前記導体層を隠すための隠蔽層が形成され、かつ前記隠蔽層の上に接着剤に対して接着性の弱い離型層が形成された、請求項１または請求項２に記載のセキュリティラベル。
【請求項５】
シート状の基材、
前記基材の一方面上の中間部に形成される導電性の２つのパッド、
２つの前記パッドを連結するように前記基材の一方面上に形成される導体層、
前記２つのパッドおよび前記導体層と間隔を隔てて前記基材の一方面上に形成される電極層、
前記基材の他方面上に形成される接着層、および
前記基材および前記導体層を破断しやすくするために前記導体層の近傍に形成される易破断部を含み、
前記導体層が破断したとき、前記パッドと前記電極層とが短絡したとき、および前記導体層と前記電極層とが短絡したときに警報を発する警報装置に接続するために、前記パッドおよび前記電極層が用いられる、セキュリティラベル。
【請求項６】
前記導体層は前記基材上において周回するように形成され、
前記易破断部は、前記基材の外周部から内側に向かって延びる切れ目と、前記パッド形成部と前記導体層の周回部分との間において前記基材、あるいは前記基材および前記導体層に形成される切れ目とを含む、請求項５に記載のセキュリティラベル。
【請求項７】
前記パッドおよび前記電極層の少なくとも一部が露出するようにして、前記導体層および前記基材の上に接着剤に対して接着性の弱い離型層が形成された、請求項５または請求項６に記載のセキュリティラベル。
【請求項８】
前記パッドおよび前記電極層が露出するようにして、前記導体層および前記基材の上に前記導体層を隠すための隠蔽層が形成され、かつ前記隠蔽層の上に接着剤に対して接着性の弱い離型層が形成された、請求項５または請求項６に記載のセキュリティラベル。
【発明の詳細な説明】
【技術分野】  この発明は、セキュリティラベルに関し、特に、たとえば不法持出しを知らせる警報装置を商品などに取り付け、かつ不法に警報装置を取り外したときに警報を発して知らせるためのセキュリティラベルに関する。
【背景技術】  近年、展示会場、スーパーマーケット、百貨店などにおいて、展示品や商品などの物品の盗難、不法持ち出しなどが大きな問題となっている。これを防止する方法として、自鳴タグによる物品監視システムが有望視されている。
このような商品等の盗難を防止するための警報装置として、たとえば特開平９−２４５２７３号公報に開示されているような盗難防止タグが用いられている。この盗難防止タグＴは、第２３図に示すような回路を有するものである。この盗難防止タグＴは、導通ワイヤＷによって、商品などに取り付けられる。そして、店舗の出入口には、所定の信号を発信する発信装置が設けられ、盗難防止タグＴが取り付けられた商品を持ち出そうとすると、インダクタンスＬ１とキャパシタンスＣ２とからなる共振回路が発振装置からの信号に共振し、ブザーＢＵＺにより警報が発せられる。
導通ワイヤＷは、第２４図に示すように、盗難防止タグＴにループ状に取り付けられ、その一端が着脱可能に形成されている。この導通ワイヤＷが、たとえばバッグＢの把手などに通され、導通ワイヤＷの一端が盗難防止タグＴにロックされる。ここで、発振装置の信号により警報が発せられないように、導通ワイヤＷを切断して盗難防止タグＴを取り外した場合、導通ワイヤＷの断線が検出され、ブザーＢＵＺにより警報が発せられる。このように、この盗難防止タグＴを取り付けた商品を店外に持ち出そうとしても、盗難防止タグＴを不法に取り外そうとしても、ブザーＢＵＺにより警報が発せられる。
顧客によって商品が購入されたとき、たとえば導通ワイヤＷのロックを外すために、盗難防止タグＴに形成された鍵穴に鍵を差し込むことにより、リセットスイッチＲＳが導通され、警報が発せられることなく導通ワイヤＷのロックを解除することができる。
しかしながら、従来においては、導通ワイヤが物品の把手などに絡められることにより盗難防止タグが取り付けられていたため、他の導線を用いたり、直接バイパスをすることにより、盗難防止タグの近くで導通ワイヤを短絡すると、短絡部分の先で導通ワイヤが切断されても警報が発せられないという問題がある。また、把手などのない平坦な表面を有する物品の場合、導通ワイヤを用いた盗難防止タグを取り付けられないという問題もある。
それゆえに、この発明の主たる目的は、平坦な表面を有する物品にも盗難防止タグを取り付けることができ、しかも警報が発せられることなく不法に盗難防止タグを取り外すことが困難な構造のセキュリティラベルを提供することである。
【発明の開示】
この発明は、シート状の基材と、基材の一方面上の中間部に形成される導電性の２つのパッドと、２つのパッドを連結するように基材の一方面上に形成される導体層と、基材の他方面上に形成される接着層と、基材および導体層を破断しやすくするために導体層の近傍に形成される易破断部とを含み、導体層が破断したときに警報を発する警報装置に接続するためにパッドが用いられる、セキュリティラベルである。
このようなセキュリティラベルにおいて、導体層は基材上において周回するように形成することができ、易破断部は、基材の外周部から内側に向かって延びる切れ目と、パッド形成部と導体層の周回部分との間において基材、あるいは基材および導体層に形成される切れ目とで構成することができる。
さらに、パッドが露出するようにして、導体層および基材の上に接着剤に対して接着性の弱い離型層が形成されてもよい。
また、パッドが露出するようにして、導体層および基材の上に導体層を隠すための隠蔽層が形成され、かつ隠蔽層の上に接着剤に対して接着性の弱い離型層が形成されてもよい。
また、この発明は、シート状の基材と、基材の一方面上の中間部に形成される導電性の２つのパッドと、２つのパッドを連結するように基材の一方面上に形成される導体層と、２つのパッドおよび導体層と間隔を隔てて基材の一方面上に形成される電極層と、基材の他方面上に形成される接着層と、基材および導体層を破断しやすくするために導体層の近傍に形成される易破断部とを含み、導体層が破断したとき、パッドと電極層とが短絡したとき、および導体層と電極層とが短絡したときに警報を発する警報装置に接続するために、パッドおよび電極層とが用いられる、セキュリティラベルである。
このようなセキュリティラベルにおいて、導体層は基材上において周回するように形成することができ、易破断部は、基材の外周部から内側に向かって延びる切れ目と、パッド形成部と導体層の周回部分との間において基材、あるいは基材および導体層に形成される切れ目とで構成することができる。
さらに、パッドおよび電極層の少なくとも一部が露出するようにして、導体層および基材の上に接着剤に対して接着性の弱い離型層が形成されてもよい。
また、パッドおよび電極層が露出するようにして、導体層および基材の上に導体層を隠すための隠蔽層が形成され、かつ隠蔽層の上に接着剤に対して接着性の弱い離型層が形成されてもよい。
基材の一方面上に形成された２つのパッドに、あるいは基材の一方面上に形成された２つのパッドおよび電極層に警報装置が接続され、基材の他方面上に形成された接着層によって、セキュリティラベルが物品に貼着される。このセキュリティラベルには、基材および導体層を破断しやすくするための易破断部が形成されているため、セキュリティラベルを剥がそうとしたり、警報装置を取り外そうとすると、基材および導体層が破断する。このとき、警報装置によって導体層の断線が検出され、警報が発せられる。
易破断部は、基材に形成される切れ目によって構成することができる。このとき、基材の外周部から内側に向かって切れ目を形成することにより、セキュリティラベルを剥がそうとするときに、基材が切れ目から破断し、導体層も破断する。また、パッド形成部と導体層の周回部分との間において、基材に切れ目を形成することにより、パッドに接続された警報装置を持ち上げようとしたとき、パッド形成部と導体層の周回部分との間で基材が破断する。それにともなって、導体層が破断し、警報装置により警報が発せられる。
また、導体層および基材の上に離型層を形成することにより、これらの上に接着テープなどを貼着することが困難になる。そのため、接着テープなどによって易破断部を補強することが困難であり、基材や導体層が破断しないようにしてセキュリティラベルを剥がすことを防止することができる。
さらに、導体層および基材の上に隠蔽層を形成することにより、導体層を表面から見えないように隠すことができ、セキュリティラベルの構造を知られないようにすることができる。
さらに、２つのパッドおよび導体層と間隔を隔てて電極層を形成することにより、パッドあるいは導体層と電極層との間が導電性液体などによって短絡したときに、その短絡を警報装置によって検出して、警報を発することができる。
このような電極層が形成されたセキュリティラベルにおいても、基材に形成される切れ目によって、易破断部を構成することができ、セキュリティラベルを剥がそうとしたり、パッドに接続された警報装置を持ち上げようとしたとき、基材や導体層を破断させることができる。
また、導体層および基材の上に離型層や隠蔽層を形成することにより、接着テープなどによる易破断部の補強やセキュリティラベルの構造の隠蔽を行うことができる。
この発明によれば、警報を発することなく、盗難防止タグを取り付けた物品を店舗外に持ち出すことや、盗難防止タグを不法に取り外すことが困難である。したがって、店外への物品の不法持ち出しを効果的に防止することができる。さらに、把手などのない平坦な面を有する物品にも、盗難防止タグを取り付けることができる。
さらに、２つのパッドおよび導体層と間隔を隔てて電極層を形成することにより、塩水などの導電性液体をかけても、警報を発するようにすることができるため、安全性の高いセキュリティラベルを得ることができる。
この発明の上述の目的，その他の目的，特徴および利点は、図面を参照して行う以下の実施の形態の詳細な説明から一層明らかとなろう。
【図面の簡単な説明】  第１図は、この発明のセキュリティラベルの一例を示す正面図である。
第２図は、第１図に示すセキュリティラベルの端面図解図である。
第３図は、第１図に示すセキュリティラベルの背面図である。
第４図は、第１図に示すセキュリティラベルを用いて物品に取り付けられる盗難防止タグの一例を示す斜視図である。
第５図は、第１図に示すセキュリティラベルを用いて第４図に示す盗難防止タグを物品に取り付けた状態を示す斜視図である。
第６図は、第５図に示す盗難防止タグの取り付け状態を示す端面図解図である。
第７図は、この発明のセキュリティラベルの他の例を示す端面図解図である。
第８図は、この発明のセキュリティラベルのさらに他の例を示す端面図解図である。
第９図は、この発明のセキュリティラベルの別の例を示す端面図解図である。
第１０図は、この発明のセキュリティラベルのさらに別の例を示す正面図である。
第１１図は、導体層とは別に電極層を形成したセキュリティラベルの一例を示す正面図である。
第１２図は、第１１図に示すセキュリティラベルの端面図解図である。
第１３図は、第１１図に示すセキュリティラベルの背面図である。
第１４図は、第１１図に示すセキュリティラベルを用いて物品に取り付けられる盗難防止タグの一例を示す斜視図である。
第１５図は、第１４図に示す盗難防止タグに形成される回路の一例を示す回路図である。
第１６図は、第１１図に示すセキュリティラベルを用いて第１４図に示す盗難防止タグを物品に取り付けた状態を示す斜視図である。
第１７図は、第１４図に示す盗難防止タグの取り付け状態を示す端面図解図である。
第１８図は、電極層を形成したセキュリティラベルの他の例を示す端面図解図である。
第１９図は、電極層を形成したセキュリティラベルのさらに他の例を示す端面図解図である。
第２０図は、電極層を形成したセキュリティラベルの別の例を示す端面図解図である。
第２１図は、電極層を形成したセキュリティラベルのさらに別の例を示す正面図である。
第２２図は、電極層を形成したセキュリティラベルの変形例を示す正面図である。
第２３図は、物品に取り付けて不法持ち出しを検出するための盗難防止タグの一例を示す回路図である。
第２４図は、盗難防止タグを導通ワイヤで物品に取り付けた状態を示す図解図である。
【発明を実施するための最良の形態】  第１図はこの発明のセキュリティラベルの一例を示す正面図であり、第２図はその端面図解図であり、第３図はその背面図である。セキュリティラベル１０は、シート状の基材１２を含む。基材１２の材料としては、たとえばポリスチレン、ポリ塩化ビニル、アクリル、ＡＳ樹脂、ＡＢＳ樹脂、ポリアセタール、ポリカーボネートなどの熱可塑性フィルムなどが用いられる。基材１２は、略長方形状の中間部１２ａを含み、その両側に中間部１２ａより幅広の端部１２ｂ，１２ｃが形成される。
中間部１２ａの一方面上には、２つのパッド１４ａ，１４ｂが形成される。これらのパッド１４ａ，１４ｂは、導電材料で矩形などの形状に形成される。なお、パッド１４ａ，１４ｂの形状は、円形などのような矩形以外の形状に形成されてもよい。これらのパッド１４ａ，１４ｂを連結するようにして、導体層１６が形成される。導体層１６は、一方のパッド１４ａから端部１２ｂに延びるように形成され、端部１２ｂ上で周回するようにして、中間部１２ａから他方の端部１２ｃに延びるように形成される。さらに、導体層１６は、端部１２ｃ上で周回するようにして、パッド１４ｂに接続される。パッド１４ａ，１４ｂおよび導体層１６は、たとえばカーボンなどの導電性転写箔を基材１２に熱転写することにより形成される。
さらに、基材１２の端部１２ｂ，１２ｃの外周側には、複数の切れ目１８が形成される。これらの切れ目１８は、端部１２ｂ，１２ｃの端縁部から内側に向かって延びるように形成される。また、中間部１２ａの端部１２ｂ，１２ｃ側には、それぞれ断続する切れ目２０が形成される。切れ目２０は、中間部１２ａの幅方向に沿って形成される。また、端部１２ｂ，１２ｃの中間部１２ａ側には、それぞれ断続する切れ目２２が形成される。切れ目２２は、切れ目２０と略平行に形成される。これらの切れ目２０，２２は、パッド１４ａ，１４ｂ形成部と、端部１２ｂ，１２ｃ上における導体層１６の周回部分との間に形成される。また、切れ目２２と導体層１６の周回部分との間において、基材１２にＸ字状の切れ目２４が形成される。
また、基材１２の他方面上には、接着層２６が形成される。接着層２６は、たとえばアクリル系粘着剤やウレタン系接着剤などを塗布することにより形成される。接着層２６上には、剥離紙２８が仮着される。剥離紙２８には、基材１２に形成された切れ目２０にほぼ対応する位置あるいは近接する位置に、直線状の切れ目３０が形成される。
このセキュリティラベル１０を作製するには、複数の基材１２を得ることができる大きさのフィルムの一方面上に、カーボンなどの導電性転写箔を転写することによって、パッド１４ａ，１４ｂと導体層１６とが複数形成される。また、フィルムの他方面上に接着層２６が形成され、その上にフィルムとほぼ同じ大きさの剥離紙２８が仮着される。そして、パッド１４ａ，１４ｂと導体層１６とを含むようにして、フィルムおよび剥離紙２８が基材１２の形状に打ち抜かれる。このようにして得られた基材１２に、ダイカットなどによって、切れ目１８，２０，２２，２４が形成される。切れ目１８，２０，２２，２４は、導体層１６にかからないように形成されるが、導体層１６が連続した状態になっていれば、切れ目１８，２０，２２，２４の一部が導体層１６にかかっていてもよい。さらに、ダイカットなどによって、剥離紙２８に切れ目３０が形成される。なお、フィルムを基材１２の形状に打ち抜く前に、フィルムに切れ目１８，２０，２２，２４を形成し、剥離紙２８に切れ目３０を形成してもよい。
このセキュリティラベル１０には、たとえば第４図に示すような盗難防止タグ５０が警報装置として取り付けられる。この盗難防止タグ５０は、ケース５２を含み、その内部に第２３図に示すような回路を有するものである。ケース５２の外表面の中央部には、凹部５２ａが形成される。凹部５２ａは、セキュリティラベル１０の中間部１２ａが嵌め合わされる形状に形成される。そして、凹部５２ａには、２つの端子電極５４ａ，５４ｂが形成される。これらの端子電極５４ａ，５４ｂは、基材１２上のパッド１４ａ，１４ｂに対応した間隔で形成される。これらの端子電極５４ａ，５４ｂは、第２３図に示す回路において、導通ワイヤＷに相当する導電層１６がパッド１４ａ，１４ｂを介して接続される端子となる。
さらに、ケース５２の一方側端部にヒンジ部５６が形成され、このヒンジ部５６から延びるようにして、押さえ板５８が形成される。押さえ板５８は、ヒンジ部５６を中心として回動可能に形成される。また、押さえ板５８の先端部には、固定爪６０が形成される。ケース５２の他方側端部には、固定爪６０を嵌め込んで押さえ板５８を固定するための嵌込部６２ａを有する固定部６２が形成される。なお、固定爪６０および固定部６２は一例であり、押さえ板５８を固定できる構造であれば、他の構造を採用してもよい。
この盗難防止タグ５０に、セキュリティラベル１０が取り付けられる。このとき、セキュリティラベル１０の中間部１２ａが、セキュリティラベル１０の剥離紙２８側と盗難防止タグ５０の押さえ板５８の内側とが相対するように、ケース５２の凹部５２ａに嵌め合わされ、パッド１４ａ，１４ｂが端子電極５４ａ，５４ｂに接続される。この状態で、押さえ板５８が閉じられ、固定爪６０がケース５２の固定部６２の嵌込部６２ａに嵌め込まれる。それにより、セキュリティラベル１０が、盗難防止タグ５０に固定され、端子電極５４ａ，５４ｂ間に導体層１６が接続される。
盗難防止タグ５０に取り付けられたセキュリティラベル１０は、第５図に示すように、商品などの物品１００の表面に貼着される。このとき、第６図に示すように、基材１２の端部１２ｂ，１２ｃに仮着された剥離紙２８が剥離されて、端部１２ｂ，１２ｃの他方面に形成された接着層２６によって、セキュリティラベル１０が物品１００に貼着される。なお、剥離紙２８には切れ目３０が形成されているため、基材１２の中間部１２ａに仮着された剥離紙２８は残っており、この部分が盗難防止タグ５０の押さえ板５８で押さえられている。盗難防止タグ５０は、押さえ板５８が物品１００に相対するように、セキュリティラベル１０によって取り付けられている。
物品１００が置かれた店舗の出入口には、所定の信号を発信するゲートなどが設けられ、盗難防止タグ５０が通ったときに、盗難防止タグ５０のブザーＢＵＺが警報を発するようになっている。したがって、盗難防止タグ５０が付いたままで、物品１００を店外に持ち出そうとすれば、盗難防止タグ５０の警報によって検出することができる。また、セキュリティラベル１０のパッド１４ａ，１４ｂ間で、導体層１６が断線した場合も、盗難防止タグ５０が警報を発する。
このセキュリティラベル１０では、基材１２に切れ目１８，２０，２２，２４が形成されていることによって、物品１００からセキュリティラベル１０を剥がそうとしたとき、基材１２が破断しやすくなっている。つまり、これらの切れ目１８，２０，２２，２４形成部分が、易破断部となっている。したがって、物品１００に貼着されたセキュリティラベル１０を端部１２ｂ，１２ｃ部分から剥がそうとすると、切れ目１８から基材１２が破断し、導体層１６形成部まで基材１２が破断すると、導体層１６も破断する。そして、導体層１６が破断すると、盗難防止タグ５０のブザーＢＵＺが警報を発する。
また、盗難防止タグ５０を持ち上げて、基材１２の中間部１２ａ側からセキュリティラベル１０を剥がそうとすると、断続する切れ目２０，２２から基材１２が破断し、導体層１６も破断する。また、Ｘ字状の切れ目２４によっても、基材１２が破断しやすくなっており、導体層１６も破断しやすくなっている。そして、導体層１６が破断すると、盗難防止タグ５０のブザーＢＵＺが警報を発する。
このように、物品１００から不法にセキュリティラベル１０を剥がそうとすると、容易に導体層１６が破断し、警報が発せられる。また、セキュリティラベル１０が物品１００に貼着されると、盗難防止タグ５０の端子電極５４ａ，５４ｂおよびセキュリティラベル１０のパッド１４ａ，１４ｂが隠れるため、端子電極５４ａ，５４ｂ近傍で導体層１６を短絡することが困難である。したがって、導体層１６を短絡した状態で、盗難防止タグ５０を物品１００から取り外すことが困難である。
なお、基材１２の端部１２ｂ，１２ｃの上に接着テープなどを貼着し、基材１２が切れ目１８から破断しないように補強して、セキュリティラベル１０を剥がすことが考えられる。そこで、第７図に示すように、基材１２の端部１２ｂ，１２ｃと、その上に形成された導体層１６の上に、シリコンなどを印刷して、接着剤に対して接着性の弱い離型層３２を形成してもよい。このような離型層３２を形成することにより、接着テープなどが基材１２の端部１２ｂ，１２ｃ上に強力に貼着されず、端部１２ｂ，１２ｃを補強することができなくなる。なお、離型層３２は、端部１２ｂ，１２ｃだけでなく、中間部１２ａ上に形成されてもよいが、この場合、パッド１４ａ，１４ｂは露出するように形成される。
また、第８図に示すように、基材１２の端部１２ｂ，１２ｃ上に形成された導体層１６を隠すために、隠蔽層３４を形成してもよい。この場合、基材１２の端部１２ｂ，１２ｃと、その上に形成された導体層１６上に、隠蔽層３４が形成される。そして、隠蔽層３４上に、離型層３２が形成される。隠蔽層３４は、たとえば導体層１６と同じ色となるように形成される。もちろん、隠蔽層３４としては、導体層と同じ色だけでなく、別の色でもよく、また模様などを施して導体層１６を隠すようにしてもよい。このような隠蔽層３４を形成することにより、貼着されたセキュリティラベル１０の表面から、導体層１６を隠すことができ、セキュリティラベル１０の表面から導体層１６の構造を知られないようにすることができる。このような隠蔽層３４および離型層３２についても、基材１２の端部１２ｂ，１２ｃだけでなく、中間部１２ａ部分に形成してもよいが、この場合、パッド１４ａ，１４ｂは露出するように形成される。
さらに、基材１２の他方面の全面に接着層２６を形成する必要はなく、第９図に示すように、基材１２の端部１２ｂ，１２ｃにのみ接着層２６を形成してもよい。つまり、盗難防止タグ５０の押さえ板５８で押さえられる中間部１２ａには、接着層２６を形成する必要はない。この場合、中間部１２ａ部分には、剥離紙２８は形成されなくてもよい。もちろん、一方の端部１２ｂから他方の端部１２ｃまで連続した剥離紙２８が仮着されていてもよい。このとき、中間部１２ａ部分には接着層２６が形成されていないため、使用時には全ての剥離紙２８を剥離すればよく、剥離紙２８に切れ目３０を形成する必要はない。
また、第１０図に示すように、パッド１４ａ，１４ｂ形成部分と、導体層１６の周回部分との間に、曲線状の断続する切れ目３６ａ，３６ｂが形成されてもよい。これらの切れ目３６ａ，３６ｂは、基材１２の端部１２ｂ，１２ｃの中間部１２ａ側に形成される。ここで、切れ目３６ａは、基材１２の外側に向かって湾曲する切れ目（各切れ目の中央部が各切れ目の両末端より基材１２の外側に位置する）であり、切れ目３６ｂは、基材１２の内側に向かって湾曲する切れ目（各切れ目の中央部が各切れ目の両末端より基材１２の内側に位置する）である。そして、切れ目３６ａは、端部１２ｂ，１２ｃの外側に形成され、切れ目３６ｂは、端部１２ｂ，１２ｃの中間部１２ａ側に形成される。これらの切れ目３６ａ，３６ｂは、それぞれの末端部が近接するようにして交互に形成される。なお、基材１２の幅方向の最外部には、外側に湾曲した切れ目３６ａが配置される。また、この例では、第１図に示すようなＸ字状の切れ目２４は形成されていない。
このような切れ目３６ａ，３６ｂを有するセキュリティラベル１０では、物品１００に取り付けられた盗難防止タグ５０を持ち上げてセキュリティラベル１０を剥がそうとすると、切れ目３６ａ，３６ｂの端部間で基材１２が破断し、導体層１６も破断する。それにより、盗難防止タグ５０のブザーＢＵＺが警報を発する。なお、基材１２の幅方向の最外部には、外側に湾曲した切れ目３６ａが形成されているため、盗難防止タグ５０を持ち上げたときに、基材１２の最外部に配置された切れ目３６ａを起点として基材１２が破断しやすくなっている。
このような切れ目３６ａ，３６ｂは、それぞれの端部が近接するように配置されるため、導体層１６にも切れ目３６ａ，３６ｂが形成される。そのため、切れ目３６ａ，３６ｂによって導体層１６が分割されないように、切れ目３６ａ，３６ｂが形成される部分の導体層１６は、端部１２ａ，１２ｂ上の周回部分に比べて大きい幅となるように形成される。このような幅とすることにより、切れ目３６ａ，３６ｂの近接する端部間で、導体層１６を連続したものとすることができる。
なお、このようなセキュリティラベル１０を用いた場合、たとえば塩水などのような導電性の液体をかけることにより２つのパッド１４ａ，１４ｂ間を短絡したり、針金などをセキュリティラベル１０に差し込むことによって２つのパッド１４ａ，１４ｂ間を短絡して、セキュリティラベル１０を剥ぎ取ることが考えられる。このような方法で２つのパッド１４ａ，１４ｂ間を短絡すると、警報が発せられない状態でラベル１０を剥ぎ取ることが可能である。
そこで、導電性の液体などをかけてラベル１０内で２つのパッド１４ａ，１４ｂ間を短絡しようとした場合にも警報を発することができる盗難防止タグを用いることが考えられる。このような場合、このような盗難防止タグに用いることができる構造のセキュリティラベルが必要である。
第１１図はこのような構造のセキュリティラベルの一例を示す正面図であり、第１２図はその端面図解図であり、第１３図はその背面図である。このセキュリティラベル１０は、第１０図に示すセキュリティラベルに似た構造を有するが、さらに別の電極層が形成されている。
基材１２の中間部１２ａの一方面上には、２つのパッド１４ａ，１４ｂが形成される。これらのパッド１４ａ，１４ｂは、導電材料で矩形などの形状に形成される。なお、パッド１４ａ，１４ｂの形状は、円形などのような矩形以外の形状に形成されてもよい。これらのパッド１４ａ，１４ｂを連結するようにして、導体層１６が形成される。導体層１６は、一方のパッド１４ａから端部１２ｂに延びるように形成され、端部１２ｂ上で周回するようにして、中間部１２ａから他方の端部１２ｃに延びるように形成される。さらに、導体層１６は、端部１２ｃ上で周回するようにして、パッド１４ｂに接続される。
さらに、基材１２の一方面上には、パッド１４ａ，１４ｂおよび導体層１６と間隔を隔てて、電極層４０が形成される。電極層４０は、２つのパッド１４ａ，１４ｂの間を通るように形成され、その両端部が基材１２の長手方向に延びるように形成される。つまり、電極層４０は、Ｈ字状に形成され、その中間部がパッド１４ａ，１４ｂの間に配置されている。これらのパッド１４ａ，１４ｂ、導体層１６および電極層４０は、たとえばカーボンなどの導電性転写箔を基材１２に熱転写することにより形成される。
さらに、基材１２の端部１２ｂ，１２ｃの外周側には、複数の切れ目１８が形成される。これらの切れ目１８は、端部１２ｂ，１２ｃの端縁部から内側に向かって延びるように形成される。また、基材１２には、曲線状の断続する切れ目３６ａ，３６ｂが形成される。これらの切れ目１８および切れ目３６ａ，３６ｂは、第１０図に示すセキュリティラベルと同様の形状に形成される。
また、基材１２の他方面上には、接着層２６が形成され、その上に剥離紙２８が仮着される。剥離紙２８には、基材１２の中間部１２ａと端部１２ｂ，１２ｃとの間に対応する位置あるいは近接する位置に、直線状の切れ目３０が形成される。
このセキュリティラベル１０を作製するには、複数の基材１２を得ることができる大きさのフィルムの一方面上に、導電性転写箔を転写することによって、パッド１４ａ，１４ｂ、導体層１６および電極層４０が複数形成される。また、フィルムの他方面上に接着層２６が形成され、その上にフィルムとほぼ同じ大きさの剥離紙２８が仮着される。そして、パッド１４ａ，１４ｂと導体層１６と電極層４０とを含むようにして、フィルムおよび剥離紙２８が基材１２の形状に打ち抜かれる。このようにして得られた基材１２に、ダイカットなどによって、切れ目１８，３６ａ，３６ｂが形成される。さらに、ダイカットなどによって、剥離紙２８に切れ目３０が形成される。なお、フィルムを基材１２の形状に打ち抜く前に、フィルムに切れ目１８，３６ａ，３６ｂを形成し、剥離紙２８に切れ目３０を形成してもよい。
このセキュリティラベル１０には、たとえば第１４図に示すような盗難防止タグ７０が警報装置として取り付けられる。この盗難防止タグ７０は、第４図に示す盗難防止タグと同様に、ケース５２を含み、ケース５２の外表面の中央部には、凹部５２ａが形成される。凹部５２ａは、セキュリティラベル１０の中間部１２ａが嵌め合わされる形状に形成される。そして、凹部５２ａには、３つの端子電極５４ａ，５４ｂ，５４ｃが形成される。これらの端子電極５４ａ，５４ｂ，５４ｃは、凹部５２ａにセキュリティラベル１０の中間部１２ａが嵌め合わされたときに、基材１２上のパッド１４ａ，１４ｂおよび電極層１６に対応する位置に形成される。
さらに、ケース５２の一方側端部にヒンジ部５６が形成され、このヒンジ部５６から延びるようにして、押さえ板５８が形成される。押さえ板５８は、ヒンジ部５６を中心として回動可能に形成され、押さえ板５８の先端部の固定爪６０を固定部６２の嵌込部６２ａに嵌め込むことにより、押さえ板５８が固定される。
盗難防止タグ７０内には、たとえば、第１５図に示すような回路が形成される。この回路においては、第２３図に示す回路に比べて、ＩＣ内の入力部に接続される常開接点ＮＯが付加されている。ここで、盗難防止タグ７０の端子電極５４ａ，５４ｂ，５４ｃは、導体層１６の接続された端子および常開接点ＮＯの接続された端子に相当するものである。そして、端子電極５４ａには、たとえば導体層１６および常開接点ＮＯの共通端子が接続される。また、端子電極５４ｂには、導体層１６の入力部側が接続される。さらに、中央部の端子電極５４ｃには、常開接点ＮＯの入力部側が接続される。
この回路において、ＩＣ内の入力部は、導体層１６の破断および常開接点ＮＯの短絡を検出するものである。なお、第１５図に示す回路における導体層１６は、第２３図に示す回路における導電ワイヤＷに相当するものである。また、常開接点ＮＯは、パッド１４ａ，１４ｂまたは導体層１６と電極層４０との間の隙間を示すものである。したがって、入力部は、導体層１６の破断や、パッド１４ａ，１４ｂまたは導体層１６と電極層４０との間の短絡を検出するものである。また、リセット入力部は、導体層１６が破断しても、警報が発せられないようにするものである。
この盗難防止タグ７０に、セキュリティラベル１０が取り付けられる。このとき、セキュリティラベル１０の中間部１２ａが、セキュリティラベル１０の剥離紙２８側と盗難防止タグ５０の押さえ板５８の内側とが相対するように、ケース５２の凹部５２ａに嵌め合わされ、パッド１４ａ，１４ｂが端子電極５４ａ，５４ｂに接続される。また、電極層４０が端子電極５４ｃに接続される。この状態で、押さえ板５８が閉じられ、固定爪６０がケース５２の固定部６２の嵌込部６２ａに嵌め込まれる。それにより、セキュリティラベル１０が、盗難防止タグ７０に固定され、端子電極５４ａ，５４ｂ間に導体層１６が接続される。
盗難防止タグ７０に取り付けられたセキュリティラベル１０は、第１６図に示すように、商品などの物品１００の表面に貼着される。このとき、第１７図に示すように、基材１２の端部１２ｂ，１２ｃに仮着された剥離紙２８が剥離されて、端部１２ｂ，１２ｃの他方面に形成された接着層２６によって、セキュリティラベル１０が物品１００に貼着される。なお、剥離紙２８には切れ目３０が形成されているため、基材１２の中間部１２ａに仮着された剥離紙２８は残っており、この部分が盗難防止タグ７０の押さえ板５８で押さえられている。盗難防止タグ５０は、押さえ板５８が物品１００に相対するように、セキュリティラベル１０によって取り付けられている。
このような盗難防止タグ７０についても、盗難防止タグ５０が付いたままで、店舗の出入口に設けられたゲートを通れば、盗難防止タグ７０の警報によって検出することができる。また、セキュリティラベル１０のパッド１４ａ，１４ｂ間で、導体層１６が断線した場合も、盗難防止タグ７０が警報を発する。
このセキュリティラベル１０では、基材１２に切れ目１８，３６ａ，３６ｂが形成されていることによって、物品１００からセキュリティラベル１０を剥がそうとしたとき、基材１２が破断しやすくなっている。つまり、これらの切れ目１８，３６ａ，３６ｂ形成部分が、易破断部となっている。したがって、物品１００に貼着されたセキュリティラベル１０を端部１２ｂ，１２ｃ部分から剥がそうとすると、切れ目１８から基材１２が破断し、導体層１６形成部まで基材１２が破断すると、導体層１６も破断する。そして、導体層１６が破断すると、盗難防止タグ７０のブザーＢＵＺが警報を発する。
また、盗難防止タグ７０を持ち上げて、基材１２の中間部１２ａ側からセキュリティラベル１０を剥がそうとすると、断続する切れ目３６ａ，３６ｂによって基材１２が破断し、導体層１６も破断する。そして、導体層１６が破断すると、盗難防止タグ７０のブザーＢＵＺが警報を発する。なお、基材１２の幅方向の最外部には、外側に湾曲した切れ目３６ａが形成されているため、盗難防止タグ７０を持ち上げたときに、基材１２の最外部に配置された切れ目３６ａを起点として基材１２が破断しやすくなっている。
さらに、ラベル１０に塩水などの導電性の液体をかけたりして、パッド１４ａ，１４ｂ間を短絡しようとして、パッド１４ａあるいは１４ｂと電極層４０との間または導体層１６と電極層４０との間が導電性液体によって短絡されると、第１５図に示す回路の常開接点ＮＯが短絡され、ブザーＢＵＺによって警報が発せられる。したがって、導電性液体などによってパッド１４ａ，１４ｂ間を短絡し、警報が発せられないようにしてラベル１０を剥がすことも不可能である。
このように、物品１００から不法にセキュリティラベル１０を剥がそうとすると、容易に導体層１６が破断し、あるいはパッド１４ａ，１４ｂと電極層４０とが短絡して、警報が発せられる。また、セキュリティラベル１０が物品１００に貼着されると、盗難防止タグ７０の端子電極５４ａ，５４ｂおよびセキュリティラベル１０のパッド１４ａ，１４ｂが隠れるため、端子電極５４ａ，５４ｂ近傍で針金などを用いて導体層１６を短絡することが困難である。したがって、導体層１６を短絡した状態で、盗難防止タグ７０を物品１００から取り外すことが困難である。
なお、基材１２の端部１２ｂ，１２ｃの上に接着テープなどを貼着し、基材１２が切れ目２０から破断しないように補強されることを防ぐために、第１８図に示すように、基材１２の端部１２ｂ，１２ｃと、その上に形成された導体層１６の上に、シリコンなどを印刷して、接着剤に対して接着性の弱い離型層３２を形成してもよい。離型層３２は、端部１２ｂ，１２ｃだけでなく、中間部１２ａ上に形成されてもよいが、この場合、パッド１４ａ，１４ｂおよび電極層４０の少なくとも端子電極との接続部分は露出するように形成される。
また、第１９図に示すように、基材１２の端部１２ｂ，１２ｃ上に形成された導体層１６および電極層４０を隠すために、隠蔽層３４を形成してもよい。この場合、基材１２の端部１２ｂ，１２ｃと、その上に形成された導体層１６および電極層４０上に、隠蔽層３４が形成される。そして、隠蔽層３４上に、離型層３２が形成される。このような隠蔽層３４を形成することにより、物品１００に貼着されたセキュリティラベル１０の表面から、導体層１６および電極層４０を隠すことができ、セキュリティラベル１０の表面から導体層１６や電極層４０の構造を知られないようにすることができる。このような隠蔽層３４および離型層３２についても、基材１２の端部１２ｂ，１２ｃだけでなく、中間部１２ａ部分に形成してもよいが、この場合、パッド１４ａ，１４ｂおよび電極層４０の少なくとも端子電極との接続部分は露出するように形成される。
さらに、基材１２の他方面の全面に接着層２６を形成する必要はなく、第２０図に示すように、基材１２の端部１２ｂ，１２ｃにのみ接着層２６を形成してもよい。この場合、中間部１２ａ部分には、剥離紙２８は形成されなくてもよい。もちろん、一方の端部１２ｂから他方の端部１２ｃまで連続した剥離紙２８が仮着されていてもよい。このとき、中間部１２ａ部分には接着層２６が形成されていないため、使用時には全ての剥離紙２８を剥離すればよく、剥離紙２８に切れ目３０を形成する必要はない。
また、第２１図に示すように、電極層４０の端部を基材１２の長手方向に延ばし、端部１２ｂ，１２ｃにおいて周回する導体層１６の内側に連続して形成してもよい。このような形状の電極層４０を採用すれば、パッド１４ａ，１４ｂおよび導体層１６の略全体が電極層４０と近接し、少量の導電性液体によってもパッド１４ａ，１４ｂと電極層４０との間、あるいは導体層１６と電極層４０との間が短絡され、常開接点ＮＯが短絡して、警報が発せられる。この場合、電極層４０の切れ目３６ａ，３６ｂが形成される部分は幅広に形成され、切れ目３６ａ，３６ｂによって電極層４０が分断されないようにする必要がある。また、切れ目３６ａ，３６ｂに針金などを挿入して、パッド１４ａあるいは１４ｂと電極層４０との、または導体層１６と電極層４０との間が短絡されても、常開接点ＮＯが短絡して、警報が発せられる。
また、第２２図に示すように、パッド１４ａ，１４ｂ形成部分と、導体層１６の周回部分との間に、直線状の断続する切れ目２０，２２が形成されてもよい。切れ目２０は、第１図に示すセキュリティラベルと同様に、中間部１２ａの端部１２ｂ，１２ｃ側において、中間部１２ａの幅方向に沿って形成される。また、端部１２ｂ，１２ｃの中間部１２ａ側には、それぞれ断続する切れ目２２が形成される。切れ目２２は、切れ目２０と略平行に形成される。
このような切れ目２０，２２を有するセキュリティラベル１０では、物品１００に取り付けられた盗難防止タグ７０を持ち上げてセキュリティラベル１０を剥がそうとすると、切れ目２０，２２部分で基材１２が破断し、導体層１６も破断する。それにより、盗難防止タグ７０のブザーＢＵＺが警報を発する。
以上のようなセキュリティラベル１０を用いて盗難防止タグ５０や盗難防止タグ７０を物品１００に取り付ければ、導体層１６が連続した状態で物品１００から盗難防止タグ５０や盗難防止タグ７０を取り外すことが困難である。そのため、物品１００を不法に店舗から持ち出すことが困難となる。さらに、盗難防止タグ５０や盗難防止タグ７０は、セキュリティラベル１０を貼着することにより物品１００に取り付けられるため、把手などのない平坦な面を有する物品１００にも容易に取り付けることができる。
なお、物品が顧客に購入され、盗難防止タグ５０や盗難防止タグ７０を取り外す際には、たとえば盗難防止タグ５０や盗難防止タグ７０に形成された鍵穴に鍵を差し込むことにより、第１５図や第２３図に示す回路のリセットスイッチＲＳが導通し、セキュリティラベル１０の導体層１６が断線しても警報は発せられない。したがって、リセットスイッチＲＳを導通させることにより、警報が発せられない状態でセキュリティラベル１０を物品１００から取り外すことができる。
導体層１６の形状としては、上述の各セキュリティラベルに示すような形状に限らず、２つのパッド１４ａ，１４ｂを連結する形状であればよい。ただし、導体層１６は、基材１２の破断にともなって断線する必要があるため、基材１２の貼着部分、つまり端部１２ｂ，１２ｃ上に形成される必要がある。このように、基材１２の端部１２ｂ，１２ｃに導体層１６が形成されていれば、ジグザグ状などのような形状であってもよい。
また、第１図に示すセキュリティラベルでは、パッド１４ａ，１４ｂ形成部と導体層１６の周回部分との間に、それぞれ２本の断続する切れ目２０，２２が形成されているが、これらの切れ目２０，２２のうちの少なくとも１本が形成されていればよい。もちろん、パッド１４ａ，１４ｂ形成部と導体層１６の周回部分との間に、３本以上の切れ目が形成されていてもよい。
同様に、曲線状の切れ目３６ａ，３６ｂが形成されたセキュリティラベルについても、パッド１４ａ，１４ｂ形成部と導体層１６の周回部分との間に形成される数は、任意に変更可能である。これらの切れ目２０，２２や切れ目３６ａ，３６ｂは、パッド１４ａ，１４ｂ形成部と導体層１６の周回部分との間に形成されていれば、基材１２の中間部１２ａに形成されていても、端部１２ｂ，１２ｃに形成されていてもよい。
また、電極層４０が形成されたセキュリティラベルにおいて、電極層４０の形状も任意に変更可能であり、パッド１４ａ，１４ｂおよび導体層１６と間隔を隔てて形成され、これらの間に常開接点ＮＯが形成されていればよい。
また、切れ目１８は、基材１２の端縁部から内側に向かって延びるように形成されていれば、曲線状に形成されていてもよく、さらに破線状に形成されていてもよい。さらに、パッド１４ａ，１４ｂ形成部と導体層１６の周回部分との間に形成される直線状の切れ目２０，２２や曲線状の切れ目３６ａ，３６ｂは、全体として直線状に形成されているが、これらの切れ目についても、全体として曲線状やその他の形状に形成することができる。また、基材１２の中間部１２ａおよび端部１２ｂ，１２ｃは、略矩形に形成されているが、これらの形状についても、丸みを帯びた形状にしたり、その他の形状にすることができ、一定の形状に限定されるものではない。
【図１】
2004047037.tif 000003
【図２】
2004047037.tif 000004
【図３】
2004047037.tif 000005
【図４】
2004047037.tif 000006
【図５】
2004047037.tif 000007
【図６】
2004047037.tif 000008
【図７】
2004047037.tif 000009
【図８】
2004047037.tif 000010
【図９】
2004047037.tif 000011
【図１０】
2004047037.tif 000012
【図１１】
2004047037.tif 000013
【図１２】
2004047037.tif 000014
【図１３】
2004047037.tif 000015
【図１４】
2004047037.tif 000016
【図１５】
2004047037.tif 000017
【図１６】
2004047037.tif 000018
【図１７】
2004047037.tif 000019
【図１８】
2004047037.tif 000020
【図１９】
2004047037.tif 000021
【図２０】
2004047037.tif 000022
【図２１】
2004047037.tif 000023
【図２２】
2004047037.tif 000024
【図２３】
2004047037.tif 000025
【図２４】
2004047037.tif 000026
【国際調査報告】
2004047037.tif 000027
2004047037.tif 000028
2004047037.tif 000029
2004047037.tif 000030